(57)【要約】【課題】外気を浄化して室内へ取り入れるための外気処理装置において、室の密閉度によらず、外気を浄化すると同時に冷却あるいは加湿して確実な換気を行うことができる外気処理装置を提供することを目的とする。【解決手段】外気吸込口２と給気口３と室内吸込口４と排気口５とを有する本体ケース６内に集塵手段７および送風手段８および排気風量調整手段９を備え、集塵手段７は外気に含まれる塵埃を捕集する集塵部１１と、水を利用して集塵部１１を洗浄するとともに水を気化させる洗浄気化手段１２を備え、制御部１５により少なくとも排気風量調整手段９を制御して給気風量を変化させるという構成にしたことにより、室の密閉度によらず、確実に水を積極的に気化させて冷却あるいは加湿した外気を導入することが可能となり、外気を浄化すると同時に冷却あるいは加湿して確実な換気を行うことができる。【選択図】図２
2012139667.tif 000002
【特許請求の範囲】
【請求項１】
外気を吸込む外気吸込口と、
処理した外気を室内に吹出す給気口と、
室内空気を吸込む室内吸込口と、
室内空気を室外へ排出する排気口とを有する本体ケースと、
前記本体ケース内の前記外気吸込口と前記給気口を結ぶ風路に集塵手段および送風手段と、
前記本体ケース内の前記室内吸込口と前記排気口を結ぶ風路に排気風量調整手段と、
前記集塵手段、前記送風手段および前記排気風量調整手段を制御する制御手段を備え、
前記集塵手段は、
外気に含まれる塵埃を帯電させる帯電部と、帯電した塵埃を捕集する集塵部と、水を利用して前記集塵部を洗浄するとともに水を気化させる洗浄気化手段を備え、
前記制御手段により少なくとも前記排気風量調整手段を制御して給気風量を変化させることを特徴とする外気処理装置。
【請求項２】
前記制御手段により室内の静圧を正圧に保つことを特徴とする請求項１に記載の外気処理装置。
【請求項３】
前記制御手段により制御される給気風量に応じて前記洗浄気化手段の水量を変化させることを特徴とする請求項１または２に記載の外気処理装置。
【請求項４】
前記制御手段により制御される給気風量に応じて前記集塵手段の電力を変化させることを特徴とする請求項１〜３のいずれかに記載の外気処理装置。
【発明の詳細な説明】
【技術分野】
【０００１】
本発明は、外気を浄化して室内へ取り入れるための外気処理装置に関するものである。
【背景技術】
【０００２】
従来、この種の外気処理装置は、主にコロナ放電により空気分子をイオン化し、外気に含まれる塵埃を帯電させる帯電部と、電極板を積層し、交互に異なる電圧を印加して電場を形成することにより、帯電部で帯電させた塵埃をクーロン力により捕集する集塵部とを備え、外気中の塵埃を電気的に集塵する外気処理装置が知られている。
【０００３】
この種の外気処理装置では、塵埃が上記帯電部や集塵部の各電極に付着することで集塵性能が徐々に低下してしまう。集塵性能を維持するために、電極表面に付着した塵埃を洗い流すための噴霧部を設けたものが知られている（例えば、特許文献１参照）。
【０００４】
以下、その外気処理装置について図７を参照しながら説明する。
【０００５】
図７に示すように、外気処理装置１０１はケーシング１０２と、空気風路１０３と、送風手段１０４とを備えている。そして空気風路１０３内に帯電部１０５と、集塵部１０６と、噴霧部１０７を備えている。外気処理装置１０１に空気が流入すると、空気中の塵埃が帯電部１０５を通過する際に帯電され、帯電された塵埃が集塵部１０６でクーロン力によって集塵側の電極に引き寄せられて捕捉、除去される。このとき、噴霧部１０７から空気に向かって水を噴霧することにより、集塵部１０６の電極表面に付着した塵埃が水によって洗い流される。
【先行技術文献】
【特許文献】
【０００６】
【特許文献１】特開２００９−１２５６５３号公報
【発明の概要】
【発明が解決しようとする課題】
【０００７】
このような従来の外気処理装置においては、噴霧部から噴霧された水は集塵部の洗浄にのみ利用されており、水の気化によって外気を積極的に冷却あるいは加湿することができず、また室の密閉度が低い場合は過剰に外気が導入され、室の密閉度が高い場合は外気が導入されにくくなるという課題を有していた。
【０００８】
そこで本発明は、上記従来の課題を解決するものであり、外気を浄化すると同時に冷却あるいは加湿して確実な換気を行うことができる外気処理装置を提供することを目的とする。
【課題を解決するための手段】
【０００９】
そして、この目的を達成するために、本発明は、外気を吸込む外気吸込口と、処理した外気を室内に吹出す給気口と、室内空気を吸込む室内吸込口と、室内空気を室外へ排出する排気口とを有する本体ケースと、前記本体ケース内の前記外気吸込口と前記給気口を結ぶ風路に集塵手段および送風手段と、前記本体ケース内の前記室内吸込口と前記排気口を結ぶ風路に排気風量調整手段と、前記集塵手段、前記送風手段および前記排気風量調整手段を制御する制御手段を備え、前記集塵手段は、外気に含まれる塵埃を帯電させる帯電部と、帯電した塵埃を捕集する集塵部と、水を利用して前記集塵部を洗浄するとともに水を気化させる洗浄気化手段を備え、前記制御手段により少なくとも前記排気風量調整手段を制御して給気風量を変化させることを特徴とする外気処理装置であり、これにより所期の目的を達成するものである。
【発明の効果】
【００１０】
本発明によれば、外気を吸込む外気吸込口と、処理した外気を室内に吹出す給気口と、室内空気を吸込む室内吸込口と、室内空気を室外へ排出する排気口とを有する本体ケースと、前記本体ケース内の前記外気吸込口と前記給気口を結ぶ風路に集塵手段および送風手段と、前記本体ケース内の前記室内吸込口と前記排気口を結ぶ風路に排気風量調整手段と、前記集塵手段、前記送風手段および前記排気風量調整手段を制御する制御手段を備え、前記集塵手段は、外気に含まれる塵埃を帯電させる帯電部と、帯電した塵埃を捕集する集塵部と、水を利用して前記集塵部を洗浄するとともに水を気化させる洗浄気化手段を備え、前記制御手段により少なくとも前記排気風量調整手段を制御して給気風量を変化させるという構成にしたことにより、集塵部を水で洗浄して清浄な状態に保つことで高い集塵効率を維持するとともに、室の密閉度によらず、確実に水を積極的に気化させて冷却あるいは加湿した外気を導入することが可能となるので、外気を浄化すると同時に冷却あるいは加湿して確実な換気を行うことができる。
【図面の簡単な説明】
【００１１】
【図１】本発明の実施の形態１の外気処理装置の断面を示す斜視図
【図２】同外気処理装置の構成図
【図３】同外気処理装置に備えた帯電部の正面図
【図４】同外気処理装置に備えた帯電部の斜視図
【図５】同外気処理装置に備えた帯電部の断面図（図３のＡ−Ａ断面図）
【図６】同外気処理装置に備えた集塵部の斜視図
【図７】従来の外気処理装置の構成図
【発明を実施するための形態】
【００１２】
本発明の請求項１に記載の発明は、外気を吸込む外気吸込口と、処理した外気を室内に吹出す給気口と、室内空気を吸込む室内吸込口と、室内空気を室外へ排出する排気口とを有する本体ケースと、前記本体ケース内の前記外気吸込口と前記給気口を結ぶ風路に集塵手段および送風手段と、前記本体ケース内の前記室内吸込口と前記排気口を結ぶ風路に排気風量調整手段と、前記集塵手段、前記送風手段および前記排気風量調整手段を制御する制御手段を備え、前記集塵手段は、外気に含まれる塵埃を帯電させる帯電部と、帯電した塵埃を捕集する集塵部と、水を利用して前記集塵部を洗浄するとともに水を気化させる洗浄気化手段を備え、前記制御手段により少なくとも前記排気風量調整手段を制御して給気風量を変化させるという構成を有する。これにより、集塵部を水で洗浄して清浄な状態に保つことで高い集塵効率を維持するとともに、室の密閉度によらず、確実に水を積極的に気化させて冷却あるいは加湿した外気を導入することが可能となり、外気を浄化すると同時に冷却あるいは加湿して確実な換気を行うことができるという効果を奏する。
【００１３】
また、前記制御手段により室内の静圧を正圧に保つ構成にしても良い。これにより、室の外壁の隙間などから浄化、冷却（あるいは加湿）されていない外気が侵入することを防止することができるという効果を奏する。
【００１４】
また、前記制御手段により制御される給気風量に応じて前記洗浄気化手段の水量を変化させる構成にしても良い。これにより、給気風量が少なく本体ケース内に導入する外気の塵埃の量が少ない場合に洗浄気化手段の水量を低減させ、給気風量が多く塵埃の量が多い場合には水量気化手段の水量を増加させることができるため、外気の処理量に応じて洗浄および気化に使用する水量を変化させることができ、過剰な水の消費を削減することができるという効果を奏する。
【００１５】
また、前記制御手段により制御される給気風量に応じて前記集塵手段の電力を変化させる構成にしても良い。これにより、給気風量が少なく本体ケース内に導入する外気の塵埃の量が少ない場合に集塵手段の電力を低減させ、給気風量が多く塵埃の量が多い場合には集塵手段の電力を増加させることができるため、外気の処理量に応じて集塵手段の捕集能力を変化させることができ、無駄な電力消費を削減することができるという効果を奏する。
【００１６】
以下、本発明の実施の形態について図面を参照しながら説明する。
【００１７】
（実施の形態１）
図１、図２に示すように、外気処理装置１は、外気を吸込む外気吸込口２と、処理した外気を室内に吹出す給気口３と、室内空気を吸込む室内吸込口４と、室内空気を室外へ排出する排気口５とを有する本体ケース６を備えている。
【００１８】
この本体ケース６内には、外気吸込口２と給気口３を結ぶ風路に集塵手段７および送風手段８（例えばクロスフローファン）を備え、室内吸込口４と排気口５を結ぶ風路に排気風量調整手段９（例えばシロッコファン）を備えている。集塵手段７は、外気に含まれる塵埃を帯電させる帯電部１０と、帯電した塵埃を捕集する集塵部１１と、水を利用して集塵部１１を洗浄するとともに水を気化させる洗浄気化手段１２を備え、洗浄気化手段１２は噴霧部１３を備え、本体ケース６の下部には水を溜める水タンク１４を備えている。また、本体ケース６内には、集塵手段７、送風手段８、排気風量調整手段９、洗浄気化手段１２の動作を制御する制御部１５を備えている。
【００１９】
ここで、外気処理装置１は、外気吸込口２と排気口５が建物の外部に面するよう壁面や窓等の開口部に設置されるか、あるいは壁貫通型で設置される。
【００２０】
図３および図４に示すように、帯電部１０は、放電電極１６と、放電電極１６と所定の距離（本実施の形態では１５ｍｍ）だけ離した位置に電極板である接地電極１７とからなり、放電電極１６を放電電極支持部材１８に溶接やかしめ等で固定し、一定の間隔（本実施の形態では１５ｍｍ）で配置する。接地電極１７は枠体１９に固定し、枠体１９と放電電極１６とは電気的に絶縁するために、放電電極１６を碍子２０で電気的に浮かせている。
【００２１】
本実施の形態では、放電電極１６はステンレス製の先端の尖った針状のものを使用している。放電電極１６は従来から様々な形態があり、例えば直径φ０．０５ｍｍ〜φ０．３ｍｍ程度のワイヤ状の金属線や、板金を鋸歯状に打ち抜いたものなどがあり、どれを使用しても良い。
【００２２】
コロナ放電を発生させるために、放電電極１６には−１０ｋＶの直流の高電圧を印加する。なお、印加電圧は一例であり、３〜３０ｋＶで極性はマイナス、プラスのどちらでもよい。印加電圧は必要とする捕集性能、電気集塵装置の大きさ、高電圧電源にかけられるコストなどから設計者が自由に選べるが、全てがバランスよくなるように本実施の形態では−１０ｋＶとした。
【００２３】
枠体１９はアースに接続し、枠体１９と電気的につながった接地電極１７と放電電極１６との間には電位差が発生する。これにより、放電電極１６の先端に電界が集中し、高電圧が印加された放電電極１６先端付近の空気が絶縁破壊を起こし、コロナ放電が生じる。帯電部１０に流入した外気がここを通過する際に、外気中に含まれる塵埃は放電電極１６に印加した電圧と同じ極性（本実施の形態ではマイナス）に帯電される。
【００２４】
図５に示すように、放電電極１６を支持する放電電極支持部材１８とは反対側の、接地電極１７の端部を導電性部材２１として金属板で挟んでいる。この金属板を枠体１９と電気的に接続することで、接地電極１７の表面で発生したコロナ放電の電流を流すことが可能となる。本実施の形態では、金属板としてアルミ板を使用したが、導電性を有する材質であればよく、ステンレス等の金属や、導電性を有する樹脂等でも構わない。
【００２５】
なお、本実施の形態では放電電極１６が高電圧、枠体１９がアースとなっているが、逆にしても同様の効果が得られる。
【００２６】
帯電部１０の下流側には、集塵部１１を配置する。図６に示すように、集塵部１１は高電圧を印加する荷電電極２２と、それと対向してアースに接続された集塵電極２３とが交互に一定の間隔で配置されている。本実施の形態では荷電電極２２に−８ｋＶを印加し、荷電電極２２と集塵電極２３との間隔は６ｍｍである。これにより、荷電電極２２と集塵電極２３との間に電界が発生し、ここを帯電した塵埃が通過する際に、電界によるクーロン力が働き、帯電した塵埃が主に集塵電極２３上に捕集される。
【００２７】
本実施の形態では、荷電電極２２を、アルミ板をフィルムでラミネートした電極板とした。荷電電極２２の表面を絶縁化あるいは半導電化し、電圧供給部材２４および荷電電極２２と電圧供給部材２４の接点に水がかからない構造とすることにより、荷電電極２２と集塵電極２３との間に水が溜まってもスパークを防止することができる。集塵電極２３には、アルミ製の電極板を使用している。
【００２８】
なお、本実施の形態では荷電電極２２に印加する電圧を−８ｋＶ、集塵電極２３に印加する電圧を０ｋＶ（すなわちアース）、荷電電極２２と集塵電極２３との間隔を６ｍｍとしたが、これに限定されるものではなく、所望の集塵性能を達成できる値であればよい。
【００２９】
集塵部の荷電電極２２は高電圧を印加できるように接続し、集塵電極２３は電気的にアースに接続する必要がある。その方法として前述したように、帯電部の接地電極１７と同様の方法で行っても良いが、本実施の形態では、より簡単な構造になるように、各荷電電極２２または集塵電極２３の一部を、電圧供給部材２４または接地部材２５に接触させることで導通している。
【００３０】
なお、本実施の形態では荷電電極２２に高電圧を、集塵電極２３に０ｋＶ（すなわちアース）を印加するための構造として、電圧供給部材２４および接地部材２５を用いたが、これに限定されるものではなく、要件を満たす構造であればどのような構造でも構わない。
【００３１】
なお、本実施の形態では荷電電極２２を、アルミ板をフィルムでラミネートした電極板としたが、これに限定されるものではなく、本実施の形態と同等の効果が得られる構成の電極板であればよい。例えば表面抵抗率を１０の７〜１２乗Ω／□オーダーとなるよう半導電化したセラミックスや樹脂等を用いて電極板を作製することができる。
【００３２】
なお、本実施の形態では集塵電極２３を、アルミ製の電極板としたが、これに限定されるものではなく、導電性を備える電極板であればよい。例えばステンレス等の金属板や、導電性を有する樹脂板などを用いることができる。
【００３３】
洗浄気化手段１２は噴霧部１３を備えており、噴霧部１３は金属製の筒状のパイプにノズルが取り付けられている。噴霧部１３は水道直結になっており、水道圧によってノズルから水が噴霧されることで、集塵電極２３上に水膜を形成させる。ノズルにはフラット型ノズルやフルコーン型ノズルなど様々な種類があるが、本実施の形態ではフルコーン型ノズルを使用した。フルコーン型ノズルの噴霧領域は円錐状であり、その円錐領域の中央部にも水滴が分布するため均一な噴霧が可能となり、フラット型ノズルと比較してより少ない水量で同等の効果を得ることができる。
【００３４】
なお本実施の形態では噴霧部１３を金属製の筒状のパイプにフルコーン型ノズルを取り付けた構成としたが、これに限定されるものではなく、所望の領域に水を噴霧できる構成であればよい。
【００３５】
水タンク１４は噴霧部１３から噴霧された水を受け、直接排水できる構成とした。噴霧部１３を水道直結とし、水タンク１４から直接排水することで、水道を流せば外気処理装置１に水が供給、排水されるため、ユーザーが給水する手間を省くことができる。
【００３６】
なお本実施の形態では噴霧部１３を水道直結とし、水タンク１４から直接排水する構成としたが、これに限定されるものではなく、噴霧部１３から水を噴霧し、水タンク１４で噴霧された水を受ける構成であればよい。例えば、噴霧部１３と水タンク１４との間をホース等で接続しポンプで循環させることによって、水循環方式としてもよい。水循環方式の場合、集塵部１１に噴霧された水は塵埃を含んでいるため、これらをろ過する等して除去した状態で循環させることが好ましい。
【００３７】
上記構成において、制御部１５の制御により送風手段８が駆動されるとともに、排気風量調整手段９であるシロッコファンの運転動作が制御され、給気風量を変化させることができる。例えば、制御部１５により排気風量調整手段９であるシロッコファンの回転数を上昇させれば排気風量が増え、排気と給気のバランスから送風手段８の負荷が低減され、給気量を多くすることができ、また、排気風量調整手段９であるシロッコファンの回転数を低下させれば排気風量が少なくなり、排気と給気のバランスから送風手段８の負荷が増え、給気量を少なくすることができる。このとき、後者のように排気風量調整手段９であるシロッコファンの回転数を低下させれば、排気風量が少なくなり、室内の静圧を正圧に保つことができる。
【００３８】
また、制御部１５の制御により、送風手段８の駆動と共に、集塵手段７と洗浄気化手段１２も動作を開始し、外気吸込口２から流入した外気に含まれる塵埃は帯電部１０を通過する際に帯電される。帯電された塵埃を含む空気は集塵部１１に流入する。集塵部１１を通過する際に、電界によるクーロン力が働き、帯電した塵埃が集塵電極２３上に捕集される。洗浄気化手段１２に備えた噴霧部１３からは水が噴霧されており、集塵部１１に備えた荷電電極２２および集塵電極２３の表面を伝って流れ落ち、水タンク１４に落ちて回収され、排水される。水が噴霧され水タンク１４に回収される間にその一部は気化し、空気の冷却あるいは加湿に寄与する。同時に、捕集された塵埃が、集塵電極２３上を流れる水によって洗い流され、最終的に水タンク１４に移動して水とともに排出される。
【００３９】
集塵部１１を通過して浄化され、さらに冷却あるいは加湿された空気は、送風手段８を通じて給気口３から室内へ供給される。
【００４０】
これにより、集塵部１１を水で洗浄して清浄な状態に保つことで高い集塵効率を維持するとともに、室の密閉度によらず、確実に水を積極的に気化させて冷却あるいは加湿した外気を導入することが可能となり、外気を浄化すると同時に冷却あるいは加湿して確実な換気を行うことができる。また、室内の静圧を正圧に保つことにより、室の外壁の隙間などから浄化、冷却（あるいは加湿）されていない外気が侵入することを防止することができる。
【００４１】
なお、排気風量調整手段９はダンパでもよく、ダンパの開度を変化させることで風量を変化させる構成としても同様の効果を得ることができる。
【００４２】
また、排気風量調整手段９の運転動作を制御することで給気量を変化させるとしたが、送風手段８の運転動作も制御することで給気量を変化させてもよい。
【００４３】
また、制御部１５により、給気風量に応じて洗浄気化手段１２の水量を変化させることができる。これにより、たとえば排気風量調整手段９であるシロッコファンの回転数を低下させ給気風量が少なくなるよう制御し、本体ケース６内に導入する外気の量が少ない場合は塵埃の量も減少するため、洗浄気化手段１２の水量を低減させ、排気風量調整手段９であるシロッコファンの回転数を上昇させ給気風量が多くなるよう制御し、本体ケース６内に導入する外気の量が多い場合は塵埃の量も多くなるため、洗浄気化手段１２の水量を増加させることができる。よって、外気の処理量に応じて洗浄および気化に使用する水量を変化させることができ、過剰な水の消費を削減することができる。
【００４４】
また、制御部１５により、給気風量に応じて集塵手段７の電力を変化させることができる。これにより、たとえば排気風量調整手段９であるシロッコファンの回転数を低下させ給気風量が少なくなるよう制御し、本体ケース６内に導入する外気の量が少ない場合は塵埃の量も減少するため、集塵手段７の電力を低減させ、排気風量調整手段９であるシロッコファンの回転数を上昇させ給気風量が多くなるよう制御し、本体ケース６内に導入する外気の量が多い場合は塵埃の量も多くなるため、集塵手段７の電力を増加させることができる。よって、外気の処理量に応じて集塵手段７の捕集能力を変化させることができ、無駄な電力消費を削減することができる。
【産業上の利用可能性】
【００４５】
本発明にかかる外気処理装置は、外気を浄化すると同時に冷却あるいは加湿して確実な換気を行うことが可能であるので、冷風機能や加湿機能付の給気浄化装置など、住宅向け換気送風機器等として有用である。
【符号の説明】
【００４６】
１    外気処理装置
２    外気吸込口
３    給気口
４    室内吸込口
５    排気口
６    本体ケース
７    集塵手段
８    送風手段
９    排気風量調整手段
１０  帯電部
１１  集塵部
１２  洗浄気化手段
１３  噴霧部
１４  水タンク
１５  制御部
１６  放電電極
１７  接地電極
１８  放電電極支持部材
１９  枠体
２０  碍子
２１  導電性部材
２２  荷電電極
２３  集塵電極
２４  電圧供給部材
２５  接地部材
【図１】
2012139667.tif 000003
【図２】
2012139667.tif 000004
【図３】
2012139667.tif 000005
【図４】
2012139667.tif 000006
【図５】
2012139667.tif 000007
【図６】
2012139667.tif 000008
【図７】
2012139667.tif 000009